(57)【要約】  本発明にかかる撮像装置１では、前壁８２ｂから略直角に折り曲げ成形された側壁８１を有するカバー８が、側壁８１が撮像装置本体の外周を覆うように前記撮像装置本体に装着されており、前記撮像装置本体は、前記装着された側壁８１の端部８１ａが外側に広がらないように規制する広がり防止部として嵌入溝５３および外周受け片５４を備えている。このような撮像装置１は、前記広がり防止部として嵌入溝５３および外周受け片５４を備えるので、カバー８に外力がかかった場合等でもカバー８の側壁８１の端部８１ａが撮像装置本体の外側に広がるおそれを低減することができる。
2013038607.tif 000002
【特許請求の範囲】
【請求項１】
撮像装置本体と、
四角形状の前壁および側壁を有するカバーとを備え、
前記カバーは、前記側壁が前記撮像装置本体の外周を覆うようにして前記撮像装置本体に装着され、
前記側壁は、前記前壁から略直角に折り曲げ成形され、
前記撮像装置本体は、前記装着された側壁の端部が外周側に広がらないように規制する広がり防止部を備えていること
を特徴とする撮像装置。
【請求項２】
前記撮像装置本体は、レンズを保持した筐体を備え、
前記広がり防止部は、前記筐体に設けられ、前記装着された側壁の端部を外周側から規制する外周受け片を備えていること
を特徴とする請求項１に記載の撮像装置。
【請求項３】
前記撮像装置本体は、レンズを保持した筐体を備え、
前記広がり防止部は、前記筐体に設けられ、前記側壁の端部を嵌め入れる嵌入溝を備えていること
を特徴とする請求項１または請求項２に記載の撮像装置。
【請求項４】
前記撮像装置本体は、撮像素子を保持したセンサー保持部材を備え、
前記広がり防止部は、前記センサー保持部材に設けられ、前記装着された側壁の端部を外周側から規制する外周受け片を備えていること
を特徴とする請求項１ないし請求項３のいずれか１項に記載の撮像装置。
【請求項５】
前記撮像装置本体は、撮像素子を保持したセンサー保持部材を備え、
前記広がり防止部は、前記センサー保持部材に設けられ、前記側壁の端部を嵌め入れる嵌入溝を備えていること
を特徴とする請求項１ないし請求項４のいずれか１項に記載の撮像装置。
【請求項６】
前記カバーおよび筐体のうちのいずれか一方は、係止凹部を備え、
前記カバーおよび筐体のうちのいずれか他方は、前記係止凹部と係止する係止凸部を備え、
前記広がり防止部は、前記係止凸部と係止凹部とが係止された状態で、前記側壁の端部が外周側に広がらないように規制していること
を特徴とする請求項１ないし請求項５のいずれか１項に記載の撮像装置。
【請求項７】
前記カバーは、金属平板が曲げ形成された一体部品であり、
前記前壁は、被写体からの光をレンズに入射するための開口部を備え、
前記側壁は、電磁ノイズを遮蔽する平板部を備えること
を特徴とする請求項１ないし請求項６のいずれか１項に記載の撮像装置。
【発明の詳細な説明】
【技術分野】
【０００１】
本発明は、携帯電話機等に好適に用いられる小型の撮像装置に関する。
【背景技術】
【０００２】
携帯電話機、ＰＤＡ（Personal Digital Assistants）およびノート型パーソナルコンピュータ等の携行可能な機器に好適に用いられる撮像装置では、撮像装置本体の外周側を覆うカバーが配設される場合が多い。このようなカバーは、撮像装置本体内で発生する電磁ノイズが外に漏れることを防止する役割を果たしており、その材質は、金属である。このようなカバーが配設された撮像装置として、例えば特許文献１に開示された光学ユニットのカバーがある。【０００３】
この特許文献１に開示されたカバーは、箱状に形成された部材であって、カバーの４つの側壁が連結されている。しかしながら、このような箱状に形成するために、一般に絞り加工が用いられるため、その加工性が極めて悪くなってしまう。【０００４】
そのため、最近では、板片を折り曲げ成形することによって４つの側壁をそれぞれ形成して全体を箱状に形成したカバーが多くなってきている。【０００５】
ところが、図１６（Ａ）に示すように、板片を折り曲げ成形することによって形成したカバー３０１における４つの側壁３１１は、互いに分離しており、各側壁３１１は、上記のように絞り加工したカバーに比べて撓み変形し易い。そのため、例えば、図１６（Ｂ）に示すように、撮像装置本体３００ａに装着したカバー３０１に外力Ｐがかかると、一点鎖線で示すようにカバー３０１の側壁３１１が撓んで側壁３１１の端部３１１ａが撮像装置本体３００ａの外周側に逃げて広がってしまう場合がある。このようにカバー３０１の側壁３１１の端部３１１ａが撮像装置本体３００ａの外周側に広がってしまうと、上記端部３１１ａが撮像装置本体３００ａの外周側に突出してしまい、撮像装置３００が組み込まれた携帯電話等の機器における他の部品と干渉するおそれが生じる。【０００６】
また、上記の場合において、カバー３０１の側壁３１１の端部３１１ａが広がらないように、端部３１１ａと撮像装置本体３００とを接着剤によって固定しておくことも考えられる。しかしながら、その場合は、接着剤によって固定する工程が増え、組み立て性が悪くなってしまう。
【先行技術文献】
【特許文献】
【０００７】
【特許文献１】特開２０１０−１５６８１４号公報
【発明の概要】
【０００８】
本発明は、上述の事情に鑑みて為された発明であり、その目的は、カバーに外力がかかった場合等でもカバーの側壁の端部が撮像装置本体の外側に広がるおそれを低減することができる撮像装置を提供することである。
【０００９】
本発明にかかる撮像装置では、前壁から略直角に折り曲げ成形された側壁を有するカバーが、前記側壁が撮像装置本体の外周を覆うように前記撮像装置本体に装着されており、前記撮像装置本体は、前記装着された側壁の端部が外周側に広がらないように規制する広がり防止部を備えている。このような撮像装置は、広がり防止部を備えるので、カバーに外力がかかった場合等でもカバーの側壁の端部が撮像装置本体の外側に広がるおそれを低減することができる。
【００１０】
上記並びにその他の本発明の目的、特徴および利点は、以下の詳細な記載と添付図面から明らかになるであろう。
【図面の簡単な説明】
【００１１】
【図１】本発明の第１実施形態における撮像装置の斜視図である。
【図２】図１に示す撮像装置の分解斜視図である。
【図３】図１に示す撮像装置の正面図である。
【図４】図１に示す撮像装置の側面図である。
【図５】図１に示す撮像装置における第２筐体の正面図である。
【図６】図５に示す第２筐体における図５に示すＶＩ−ＶＩ線断面図である。
【図７】図１に示す撮像装置における図３に示すＶＩＩ−ＶＩＩ線断面図である。
【図８】本発明の第２実施形態における撮像装置の断面図である。
【図９】図８に示す撮像装置におけるセンサー保持部材の斜視図である。
【図１０】図９に示すセンサー保持部材の正面図である。
【図１１】図９に示すセンサー保持部材における図１０に示すＸ−Ｘ線断面図である。
【図１２】本発明の第３実施形態における撮像装置の断面図である。
【図１３】図１２に示す撮像装置におけるカバーの斜視図である。
【図１４】図１２に示す撮像装置におけるセンサー保持部材の正面図である。
【図１５】図１４に示すセンサー保持部材における図１４に示すＸＩＶ−ＸＩＶ線断面図である。
【図１６】（Ａ）は、従来の撮像装置の斜視図であり、（Ｂ）は、図１６（Ａ）の従来の撮像装置の断面図である。
【発明を実施するための形態】
【００１２】
以下、本発明にかかる実施の一形態を図面に基づいて説明する。なお、各図において同一の符号を付した構成は、同一の構成であることを示し、適宜、その説明を省略する。
【００１３】
（第１実施形態）
この第１実施形態の撮像装置１は、例えば携帯電話の端末装置、ＰＤＡ（Personal Digital Assistants）およびノート型パーソナルコンピュータ等の携行可能な機器に好適に搭載されて使用されるものである。この第１実施形態の撮像装置１は、例えば図１および図２に示すように、撮像装置本体１０と、カバー８とを備えている。
【００１４】
撮像装置本体１０は、物体（被写体）からの光（光学像）を撮像素子７１によって撮像し、前記光学像に対応する電気的な信号を生成する装置であり、例えば、移動レンズユニットである第１群ユニット２と、固定レンズユニットである第２群ユニット３と、第１群ユニット２を光軸方向に駆動するアクチュエータ（超音波リニアアクチュエータ）４と、これら第１群ユニット２、第２群ユニット３およびアクチュエータ４を収容する筐体５１、５２と、撮像素子７１を保持したセンサー保持部材７とを備えている。
【００１５】
第１群ユニット２は、図７に示すように移動レンズ群を構成する第１ないし第３光学素子２１、２２、２３と、第１ないし第３光学素子２１、２２、２３における各間にそれぞれ配設された遮光板２４、２４と、第１ないし第３光学素子２１、２２、２３を保持した第１群ユニット用ホルダー２５とを備えている。第１ないし第３光学素子２１、２２、２３は、それぞれ、例えばプラスチックレンズである。
【００１６】
第１群ユニット用ホルダー２５は、図２および図７に示すように、内周側に、第１ないし第３光学素子２１、２２、２３を保持し、第１群ユニット用ホルダー２５の外周側で、図示しないが、後述のアクチュエータ４の駆動軸４２に所定の摩擦力で摺動可能に係合されている。
【００１７】
第２群ユニット３は、図７に示すように固定レンズ群を構成する第４および第５光学素子３１、３２を備えている。これら第４および第５光学素子３１、３２は、上記第１群ユニット２の第１ないし第３光学素子２１、２２、２３と同様に、例えばプラスチックレンズである。
【００１８】
そして、この第２群ユニット３は、後述の第２筐体５２に移動不能に保持されて、第１群ユニット２の後方側（像側）に配置されている。すなわち、物体側から像側へ順に第１群ユニット２と第２群ユニット３とが配置されている。
【００１９】
これら第１群ユニット２および第２群ユニット３は、撮像素子７１の受光面上に、被写体の光学像を結像させて形成する撮像光学系を構成し、そして、第１群ユニット２がアクチュエータ４によって光軸方向に沿って移動することで、フォーカシング（合焦）が行われる。
【００２０】
アクチュエータ４は、第１ないし第３光学素子２１、２２、２３を備えた第１群ユニット２を光軸方向に沿って移動させる駆動機構を構成する装置である。このアクチュエータ４は、図２に示すように、電気エネルギーを機械エネルギーに変換して軸方向に伸縮する電気機械変換素子である圧電素子４１と、圧電素子４１の一端に連結された駆動軸４２と、圧電素子４１の他端に連結された錘４３とを備えている。
【００２１】
錘４３は、圧電素子４１の伸縮による変位を主に駆動軸４２側に発生させるための部材である。この実施形態では、錘４３は、外径が圧電素子４１の外周から全周に渡って外周方向に突出するように形成された円柱状の部材である。
【００２２】
なお、圧電素子４１の他端が筐体５に取付けられる等によって、錘４３の機能と同様の機能を発揮する構成が用いられる場合には、この錘４３は、省略されてもよい。
【００２３】
圧電素子４１は、複数の圧電層を積層した素子であり、図２に示すように、その一対の側面には、各圧電層の電極が引出されている。これら側面の各電極は、個別のリード線４４、４５を介して外部接続端子４６、４７にそれぞれ接続されている。なお、この外部接続端子４６、４７の先端は、図示しないが、前記携帯電話の端末装置側におけるプリント基板に半田付けされ、或いは前記プリント基板に実装されたコネクタに嵌り込む。
【００２４】
駆動軸４２は、柱状、例えば円柱状の部材である。この駆動軸４２に、第１群ユニット２の第１群ユニット用ホルダー２５が、図２に示すＬ字状のバネ部材６を介して、所定の摩擦力で摺動可能に係合されている。
【００２５】
このように構成されたアクチュエータ４では、電圧印加に伴って圧電素子４１が軸方向に振動し、その振動によって駆動軸４２が往復移動し、その往復移動によって第１群ユニット２が光軸方向に移動する。
【００２６】
より詳しくは、このアクチュエータ４では、圧電素子４１に所定のデューティ比の矩形波を与えることによって圧電素子４１の変位が三角波状となり、前記矩形波のデューティ比を変えることによって振幅の上昇時（伸張時）と下降時（収縮時）とで傾きの異なる三角波が発生する。アクチュエータ４の駆動メカニズムは、これを利用するものである。
【００２７】
例えば、駆動軸４２をゆっくりと伸張させることで、その駆動軸４２に摩擦係合している第１群ユニット２も前記伸張に応じて移動し、前記所定の摩擦力を超える程の瞬時に、駆動軸４２を収縮させると、第１群ユニット２がそのまま取り残される。このような駆動軸４２の軸方向の振動を繰返し行うことで、第２群ユニット２を駆動軸４２の軸方向に移動させることが可能となる。
【００２８】
筐体は、第１筐体５１と、第１筐体５１の後方側（像側）に配設された第２筐体５２との２つを備えている。
【００２９】
第２筐体５２は、合成樹脂から形成されており、外周が四角形状の筒状体である。この第２筐体５２は、図５ないし図７に示すように第２筐体本体５０と、カバー８の側壁８１の端部８１ａが外周側（外方向）に広がることを防止する広がり防止部としての嵌入溝５３および外周受け片５４とを備えている。
【００３０】
第２筐体本体５０は、内周側に、第２群ユニット３を保持するユニット保持部５２ｄを備えている。また、第２筐体本体５０は、そのユニット保持部５２ｄの径外側に、アクチュエータ４の錘４３を収納して接着剤等を介して保持するアクチュエータ保持部５２ｅを備えている。
【００３１】
また、第２筐体本体５０は、第１〜第４の外側壁５２ａを備えている。これらの第１〜第４の外側壁５２ａは、それぞれ、カバー８を係止する係止凹部５２ｃ（図６および図７参照）を備えている。この係止凹部５２ｃは、第１〜第４の外側壁５２ａの外面それぞれから凹まされることによって形成されている。
【００３２】
また、第１〜第４の外側壁５２ａそれぞれには、カバー８の端部を受けるカバー端部用受け部５２ｂが設けられている。
【００３３】
嵌入溝５３および外周受け片５４は、カバー端部用受け部５２ｂのそれぞれに形成されている。これらの嵌入溝５３および外周受け片５４は、同一形状に形成されている。このため、以下では、代表して、第１の外側壁５２ａのカバー端部用受け部５２ｂに形成された嵌入溝５３および外周受け片５４について、説明する。
【００３４】
カバー端部用受け部５２ｂは、図６に示すように、第１の外側壁５２ａから外側に突設された突片状部材である。そして、嵌入溝５３は、カバー端部用受け部５２ｂの前面５２ｆに形成された凹溝である。より具体的には、嵌入溝５３は、そのカバー端部用受け部５２ｂの前面５２ｆから前後方向に所定の深さで、カバー８の端部が嵌り込むような溝幅で、カバー端部用受け部５２ｂの前面５２ｆに形成されている。外周受け片５４は、嵌入溝５３の外周側に、カバー端部用受け部５２ｂの前面５２ｆから前方に所定量、突出するように、カバー端部用受け部５２ｂに形成された突片状部材である。外周受け片５４は、嵌入溝５３の一方側壁と連続して形成されている。すなわち、カバー端部用受け部５２ｂ、嵌入溝５３および外周受け片５４は、一体に形成されており、カバー端部用受け部５２ｂおよび外周受け片５４は、第１の外側壁５２ａから外側に突設された断面略Ｌ字状の部材であり、嵌入溝５３は、この断面略Ｌ字状の部材の前面５２ｆに凹溝として形成されている。
【００３５】
第１筐体５１は、合成樹脂から形成されており、図２に示すように、外周が四角形状の筒状体である。この第１筐体５１は、前壁５１ａから後方側に延設された４つの側壁５１ｂを備え、それらの側壁５１ｂによって、内部に第１群ユニット２およびアクチュエータ４の一部を収容できるようになっている。
【００３６】
また、側壁５１ｂのうちの互いに対向する２つには、第２筐体５２に係止する係止用孔５１ｃが設けられている（図２では、１つだけが表れている）。
【００３７】
また、前壁５１ａには、第１筐体５１に配置された第１群ユニット２が外部に臨むための開口５１ｄが、形成されている。また、前壁５１ａにおける開口５１ｄの外周側の１つの隅角部に、アクチュエータ４の駆動軸４２の先端部を挿入するための孔５１ｅが、設けられている。
【００３８】
そして、第２筐体５２に保持されたアクチュエータ４の駆動軸４２に第１群ユニット２が係合された状態で、第１筐体５１が、第２筐体５２の前方側に配設される。そして、この状態で、係止用孔５１ｃが第２筐体５２に設けられた第１筐体用係止突片５２ｃに係止され、これにより、第１筐体５１と第２筐体５２とが連結されている。
【００３９】
次に、センサー保持部材７について説明する。センサー保持部材７は、撮像素子７１を保持する部材であり、図２に示すように、合成樹脂製の矩形状の板状体である。
【００４０】
そして、センサー保持部材７は、図７に示すように、後面側に撮像素子７１を接着剤等の固定手段によって固定的に保持し、その状態で、第２筐体５２の後面に接着剤等の固定手段によって固定的に取り付けられている。したがって、この状態で、撮像素子７１が第２群ユニット３の後方側に配設される。
【００４１】
なお、この実施形態では、センサー保持部材７は、前面に、図２に示す赤外線カットフィルター（ＩＲＣＦ）７２を保持している。また、撮像素子７１は、ＣＣＤタイプまたはＣＭＯＳタイプのイメージセンサを備えたものである。
【００４２】
次に、カバー８について説明する。カバー８は、主に電磁ノイズが外に漏れることを防止する役割を果たす部材である。この実施形態のカバー８は、金属製平板の板金加工で形成されており、図１および図２に示すように、開口部８２ａを有し外周が正面視で四角形状の前壁８２ｂと、前壁８２ｂの４辺それぞれに連結された第１〜第４の側壁８１とを備えている。
【００４３】
第１〜第４の側壁８１は、略十字状の金属製平板の４片を略直角に折り曲げ成形することによって形成される。このように形成された第１〜第４の側壁８１は、それぞれ、弾性を有し、外力がかかるとその端部８１ａが内周側および外周側に撓む。
【００４４】
また、これらの第１〜第４の側壁８１は、図３に示すように、互いに対向する第１の側壁８１と第３の側壁８１との外距離Ｌ１は、上記第２筐体５２における互いに対向する２つの外周受け片５４の内距離Ｌ３と略同じに設定されている。また、互いに対向する第２の側壁８１と第４の側壁８１との外距離Ｌ２は、上記第２筐体５２における互いに対向する２つの外周受け片５４の内距離Ｌ４と略同じに設定されている。
【００４５】
また、カバー８は、内部に収納部８２を備えており、この収納部８２に第１筐体５１および第２筐体５２を収納できるようになっている。
【００４６】
また、カバー８は、上記第１〜第４の側壁８１のそれぞれの端部８１ａに、第２筐体５２の係止凹部５４に係脱自在に係止する係止凸部としての係止爪８１ｃを備えている。
【００４７】
係止爪８１ｃは、係止凹部５５に入り込んで係止凹部５５内を前後に移動できるように設定され、カバー８の第２筐体５２に対する前方側（物体側）への移動に伴い係止爪８１ｃが係止凹部５５の内壁面５５ａに当接して係止できるようになっている。
【００４８】
このようなカバー８は、撮像装置本体１０の外周を覆うように配設される。より詳しくは、上述のように第１筐体５１と第２筐体５２とが互いに連結され、センサー保持部材７が第２筐体５２に取り付けられる。このような組み付けた状態の撮像装置本体１０が、第１筐体５１側から、カバー８の側壁８１の後端側に設けられた挿入口に押し入れる。
【００４９】
これによって、カバー８の係止爪８１ｃが弾性変形してカバー８の収納部８２に撮像装置本体１０が入れられる。そして、カバー８の係止爪８１ｃが第２筐体５２の係止凹部５４に合致すると、カバー８の係止爪８１ｃが、その弾性によって係止凹部５４に入り込む。
【００５０】
そして、図７に示すように、カバー８における側壁８１の端部８１ａは、第２筐体５２の嵌入溝５３の奥まで入り込むように入れられる。この状態で、外周受け片５４が、カバー８における側壁８１の端部８１ａの外周側に配設された状態になるとともに、撮像装置本体１０の第１筐体５１および第２筐体５２が、カバー８の収納部８２に収納された状態になる。
【００５１】
また、この実施形態では、この状態で、係止爪８１ｃと係止凹部５５の内壁面５５ａとが所定の距離だけ離れている。この係止爪８１ｃの先端面から、これに対向する係止凹部５５の内壁面５５ａまでの距離Ｌ５は、外周受け片５４とカバー８の側壁８１とが重なった重なり長さＬ６よりも短く設定されている。このようにして、係止爪８１ｃが係止凹部５５の内壁面５５ａに当接して係止した状態で、外周受け片５４とカバー８の側壁８１とが重なって外周受け片５４がカバー８の外周側へ広がることを防止することができるようになっている。
【００５２】
なお、センサー保持部材７は、カバー８を装着した後に、第２筐体５２に取り付けられてもよい。
【００５３】
以上のように構成された撮像装置１０は、カバー８の端部８１ａが第２筐体５２の嵌入溝５３に入っているとともに、外周受け片５４が、カバー８における側壁８１の端部８１ａの外周側に配設されているため、例えばカバー８に外力がかかった場合でも、カバー８の端部８１ａが外周側へ逃げて広がることを防止することができる。
【００５４】
これによって、カバー８の端部８１ａが撮像装置本体１０の外周側に突出することが防止され、撮像装置１０が携帯電話機等の機器に装備された場合に、撮像装置１０のカバー８が他の部材と接触することが防止される。
【００５５】
また、嵌入溝５３および外周受け片５４が、合成樹脂製の第２筐体５２に形成されるため、第１実施形態の撮像装置１０は、第２筐体５２の成形に際して一体的に嵌入溝５３および外周受け片５４を形成することができる。このため、第１実施形態の撮像装置１０は、形成が容易である。
【００５６】
なお、第１実施形態では、広がり防止部は、嵌入溝５３と外周受け片５４とから構成されているが、この形態のものに限らず、適宜に変更できる。例えば、広がり防止部は、嵌入溝５３と外周受け片５４とのいずれか一方のみから構成されたものでもよく、また例えば４片のうちの一方における互いに対向する一対の各辺には嵌入溝５３が設けられ、４片のうちの他方における互いに対向する一対の各辺には外周受け片５４が設けられたものでもよく、適宜に変更できる。
【００５７】
（第２実施形態）
次に、第２実施形態の撮像装置１００について説明する。第１実施形態では、広がり防止部としての嵌入溝５３および外周受け片５４が第２筐体５２に設けられていたが、この第２実施形態では、広がり防止部は、センサー保持部材１０７に設けられている。
【００５８】
より詳しくは、第２実施形態の第２筐体１５２は、図８に示すように、第１実施形態に設けられていたカバー端部用受け部５２ｂを有しておらず、その外周がカバー８の収納部８２の内側に配設されて収納部８２に収納されるように形成されている。
【００５９】
一方、第２実施形態のセンサー保持部材１０７は、図８ないし図１１に示すように、センサー保持部材１０７の前面における外周側の４箇所に、前面から前方に突出した突片状の広がり防止部としての外周受け片１５４を備えている。
【００６０】
これら外周受け片１５４は、互いに対向する２つのもの同士の内距離が、対応するカバー８の対向する２つの外側壁８１同士の外距離と同程度に設定されている。
【００６１】
そして、このセンサー保持部材１０７が第２筐体１５２に取り付けられた状態で、外周受け片１５４と第２筐体１５２の外周との間に、それらによってカバー１０８を嵌入する嵌入溝１５３が形成されるようになっている。その他は、第１実施形態のものと同構成を採っており、ここでは、その説明を省略する。
【００６２】
このように構成された第２実施形態では、カバー８が撮像装置本体に装着された状態では、カバー８の端部１８ａは、外周受け片１５４の内側に配設されている。
【００６３】
したがって、第２実施形態の撮像装置１００も、例えばカバー８に外力がかかった場合でも、カバー８の端部８１ａが外周側へ逃げて広がることを防止することができる。
【００６４】
また、外周受け片１５４が、合成樹脂製のセンサー保持部材１０７に形成されるため、第２実施形態の撮像装置１００は、センサー保持部材１０７の成形に際して一体的に外周受け片１５４を形成することができる。このため、第２実施形態の撮像装置１００は、形成が容易である。
【００６５】
なお、図８ないし図１１に示す例では、外周受け片１５４は、４辺の４箇所に備えられているが、センサー保持部材１０７の前面から前方に突出した、外周全周に亘って設けられた略矩形の環状突片状の部材であってもよい。
【００６６】
（第３実施形態）
次に、第３実施形態の撮像装置２００について説明する。第３実施形態の広がり防止部は、第２実施形態の広がり防止部と同様に、センサー保持部材２０７（図１４参照）に設けられているが、第３実施形態では、広がり防止部は、嵌入溝２５３から構成されている。
【００６７】
より詳しくは、図１３に示すように、第３実施形態のカバー２０８の４つの側壁２８１は、それぞれ、端部に溝挿入片２８２を備えている。
【００６８】
センサー保持部材２０７は、図１４および図１５に示すように前面に、カバー２０８の溝挿入片２８２に対応する位置に、溝挿入片２８２を嵌入する嵌入溝２５３を備えている。その他は、第２実施形態のものと同構成を採っており、ここでは、その説明を省略する。
【００６９】
このように構成された第３実施形態では、カバー２０８が撮像装置本体に装着された状態では、カバー２０８における側壁２８１の溝挿入片２８２が嵌入溝２５３に配設されている。
【００７０】
したがって、第３実施形態の撮像装置２００も、例えばカバー２０８に外力がかかった場合でも、カバー２０８の端部２８１ａが、外周側へ逃げて広がることを防止することができる。
【００７１】
また、嵌入溝２５３が、合成樹脂製のセンサー保持部材２０７に形成されるため、第３実施形態の撮像装置２００は、センサー保持部材２０７の成形に際して一体的に嵌入溝２５３を形成することができる。このため、第３実施形態の撮像装置２００は、形成が容易である。
【００７２】
なお、図１２ないし図１５に示す例では、嵌入溝２５３は、４辺の４箇所に備えられているが、センサー保持部材２０７の前面から前後方向に所定の深さで、外周全周に亘って形成された略矩形の環状凹部であってもよい。
【００７３】
また、上記第２実施形態では、広がり防止部として外周受け片１５４から構成し、上記第３実施形態では、広がり防止部として嵌入溝２５３から構成したが、この形態のものに限らず、広がり防止部として嵌入溝と外周受け片との両方をセンサー保持部材に形成してよく、適宜に変更できる。
【００７４】
また、上記第１実施形態では、広がり防止部は、第２筐体に設けられ、上記第２および第３実施形態では、広がり防止部は、センサー保持部材１０７、２０７に設けられたが、例えば広がり防止部は、第２筐体とセンサー保持部材との両方に設けてもよく、適宜に変更できる。
【００７５】
本明細書は、上記のように様々な態様の技術を開示しているが、そのうち主な技術を以下に纏める。
【００７６】
一態様にかかる撮像装置は、撮像装置本体と、四角形状の前壁および側壁を有するカバーとを備え、前記カバーは、前記側壁が前記撮像装置本体の外周を覆うようにして前記撮像装置本体に装着され、前記側壁は、前記前壁から略直角に折り曲げ成形され、前記撮像装置本体は、前記装着された側壁の端部が外周側（外方向）に広がらないように規制する広がり防止部を備えている。
【００７７】
このような撮像装置は、例えば撮像装置本体に装着されたカバーに外力がかかった場合でも、広がり防止部によって、カバーが撓んでカバーの側壁の端部が撮像装置本体の外周側に逃げて広がることを防止することができる。これによって、例えば撮像装置が組み込まれた携帯電話等の機器における他の部品と前記撮像装置が干渉するおそれを少なくすることができる。このため、信頼性の高い撮像装置が提供される。
【００７８】
また、他の一態様では、上述の撮像装置において、前記撮像装置本体は、レンズを保持した筐体を備え、前記広がり防止部は、前記筐体に設けられ、前記装着された側壁の端部を外周側から規制する外周受け片を備えている。
【００７９】
このような撮像装置では、撮像装置本体の筐体が外周受け片を備えるため、追加の部品が不要である。したがって、このような撮像装置は、従来よりも部品点数が多くなることを防止することができ、そのため、組立性を損なうことがない。また、カバーと筐体との間を接着する必要がないため、組立性を損なうことがない。
【００８０】
また、他の一態様では、これら上述の撮像装置において、前記撮像装置本体は、レンズを保持した筐体を備え、前記広がり防止部は、前記筐体に設けられ、前記側壁の端部を嵌め入れる嵌入溝を備えている。
【００８１】
このような撮像装置では、撮像装置本体の筐体が、カバーの側壁の端部を嵌め入れる嵌入溝を備えるため、追加の部品が不要である。したがって、このような撮像装置は、従来よりも部品点数が多くなることを防止することができ、そのため、組立性を損なうことがない。また、カバーと筐体との間を接着する必要がないため、組立性を損なうことがない。
【００８２】
また、他の一態様では、これら上述の撮像装置において、前記撮像装置本体は、撮像素子を保持したセンサー保持部材を備え、前記広がり防止部は、前記センサー保持部材に設けられ、前記装着された側壁の端部を外周側から規制する外周受け片を備えている。
【００８３】
このような撮像装置では、撮像装置本体のセンサー保持部材が外周受け片を備えるため、追加の部品が不要である。したがって、このような撮像装置は、従来よりも部品点数が多くなることを防止することができ、組立性を損なうことがない。また、カバーと筐体との間を接着する必要がないため、組立性を損なうことがない。
【００８４】
また、他の一態様では、これら上述の撮像装置において、前記撮像装置本体は、撮像素子を保持したセンサー保持部材を備え、前記広がり防止部は、前記センサー保持部材に設けられ、前記側壁の端部を嵌め入れる嵌入溝を備えている。
【００８５】
このような撮像装置では、撮像装置本体のセンサー保持部材が外周受け片を備えるため、追加の部品が不要である。したがって、このような撮像装置は、従来よりも部品点数が多くなることを防止することができ、組立性を損なうことがない。また、カバーと筐体との間を接着する必要がないため、組立性を損なうことがない。
【００８６】
また、他の一態様では、これら上述の撮像装置において、前記カバーおよび筐体のうちのいずれか一方は、係止凹部を備え、前記カバーおよび筐体のうちのいずれか他方は、前記係止凹部と係止する係止凸部を備え、前記広がり防止部は、前記係止凸部と係止凹部とが係止された状態で、前記側壁の端部が外周側に広がらないように規制している。
【００８７】
このような撮像装置は、カバーが筐体に係止された状態で、常時、広がり防止部によって、カバーの側壁の端部が外周側に広がることを防止することができる。このため、より一層、信頼性の高い撮像装置が提供される。
【００８８】
また、他の一態様では、これら上述の撮像装置において、前記カバーは、金属平板が曲げ形成された一体部品であり、前記前壁は、被写体からの光をレンズに入射するための開口部を備え、前記側壁は、電磁ノイズを遮蔽する平板部を備える。
【００８９】
このような撮像装置は、カバーが金属平板を曲げ形成した一体部品であるため、加工性がよい。また、このような撮像装置は、前記側壁が電磁ノイズを遮蔽する平板部を備えるため、撮像装置本体内で発生する電磁ノイズが外に漏れることを防止することができる。
【００９０】
この出願は、２０１１年９月１５日に出願された日本国特許出願特願２０１１−２０１４８７を基礎とするものであり、その内容は、本願に含まれるものである。
【００９１】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【産業上の利用可能性】
【００９２】
本発明によれば、撮像装置を提供することができる。
【図１】
2013038607.tif 000003
【図２】
2013038607.tif 000004
【図３】
2013038607.tif 000005
【図４】
2013038607.tif 000006
【図５】
2013038607.tif 000007
【図６】
2013038607.tif 000008
【図７】
2013038607.tif 000009
【図８】
2013038607.tif 000010
【図９】
2013038607.tif 000011
【図１０】
2013038607.tif 000012
【図１１】
2013038607.tif 000013
【図１２】
2013038607.tif 000014
【図１３】
2013038607.tif 000015
【図１４】
2013038607.tif 000016
【図１５】
2013038607.tif 000017
【図１６】
2013038607.tif 000018
【国際調査報告】
2013038607.tif 000019
2013038607.tif 000020